(57)【要約】      （修正有）【課題】排出された流体が再び入るのを防止するように意図された排水装置を提供する。【解決手段】排水装置４２は、空気力学的表面２６の排水開口部の上に取り付けるための接触面を有する、ベース４４と、ベースに連結され、ベースの接触面から離れる向きに延伸するマスト部５８と、マスト部の端部に連結される上部７０であって、マスト部の周囲よりも大きい周囲を有し、出口ポート７６を有する、上部と、を備える。上部は、空気力学的表面に対して上流側に延伸する片持ち支持されたフェンス部７２を含むことができ、排水装置は、空気力学的表面の第1の開口部および第2の開口部を含むシステムの一部とすることができ、第2の開口部は第1の開口部の上流側にあり、第1の開口部の上に排水装置が取り付けられ、排水装置の片持ち支持されたフェンス部は、第2の開口部に向かって上流側に延伸する。【選択図】図４
2018165147.tif 000002
【特許請求の範囲】
【請求項１】
排水装置（42）であって、
空気力学的表面（26）の開口部の上に取り付けるために構成されたベース（44）であって、前記空気力学的表面上に取り付けるために構成された接触面（46）、および入口ポート（50）を有する、ベース（44）と、
近位端（60）および遠位端（62）を有するマスト部（58）であって、前記近位端が前記ベースに連結され、前記ベースの前記接触面から離れる向きに延伸する、マスト部（58）と、
前記マスト部の前記遠位端に連結される上部（70）であって、前記入口ポートと流体流通する出口ポート（76）および前記マスト部の周囲の少なくとも一部を越えて延伸する周囲縁部（48）を有する、上部（70）と、
を備える排水装置（42）。
【請求項２】
前記上部（70）が先端（54）および後端（56）を有し、前記先端が、前記マスト部（58）から外に片持ち支持されたフェンス部（72）を含む、請求項1に記載の排水装置（42）。
【請求項３】
前記フェンス部（72）が、前記マスト部（58）の前記周囲の少なくとも50％の部分から延伸する、請求項2に記載の排水装置（42）。
【請求項４】
前記出口ポート（76）が前記先端（54）よりも前記後端（56）に近接している、請求項2または3に記載の排水装置（42）。
【請求項５】
前記出口ポート（76）が、前記空気力学的表面の前記開口部を含む平面に平行な平面内にある、請求項1から4のいずれか一項に記載の排水装置（42）。
【請求項６】
前記マスト部（58）が、一線に集まる壁部（64）によって形成された後面（66）を有する、請求項1から5のいずれか一項に記載の排水装置（42）。
【請求項７】
前記マスト部（58）および前記上部（70）のそれぞれが前曲率を有し、前記マスト部の前記前曲率の半径が、前記上部の前記前曲率の半径よりも小さい、請求項1から6のいずれか一項に記載の排水装置（42）。
【請求項８】
前記ベース（44）は、前記出口ポート（76）が前記開口部の下流側にあるように前記空気力学的表面上に取り付けるために構成される、請求項1から7のいずれか一項に記載の排水装置（42）。
【請求項９】
前記空気力学的表面がビークル上にある、請求項1から8のいずれか一項に記載の排水装置（42）。
【請求項１０】
排水システムであって、
ビークル上の空気力学的表面であって、前記ビークルが移動しているときの前記表面の上の空気流を基準とする上流側部分および下流側部分と前記空気力学的表面に画定された開口部とを有する、空気力学的表面と、
前記開口部の上の前記空気力学的表面上に取り付けられたスカッパ装置であって、前記空気力学的表面を基準として上流方向に延伸する片持ち支持されたフェンス部（72）を有する、スカッパ装置と、
を備える、排水システム。
【請求項１１】
前記スカッパ装置が、遠位端（62）を有しかつ前記空気力学的表面から離れる向きに延伸するマスト部（58）を有し、前記フェンス部（72）が、前記マスト部の前記遠位端の周囲の少なくとも50％の部分から延伸する、請求項10に記載の排水システム。
【請求項１２】
前記スカッパ装置が、前記空気力学的表面から遠位に上部（70）を有し、前記上部が、前記開口部の下流側に出口ポート（76）を有する、請求項10または11に記載の排水システム。
【請求項１３】
前記出口ポート（76）および前記開口部が平行な平面にある、請求項12に記載の排水システム。
【請求項１４】
前記マスト部（58）の高さが、少なくとも1／2インチである、請求項11に記載の排水システム。
【請求項１５】
前記フェンス部（72）が、上流方向に少なくとも1／4インチだけ延伸する、請求項10から14のいずれか一項に記載の排水システム。
【発明の詳細な説明】
【技術分野】
【０００１】
本開示は、ビークル上の排水ポート用の排水装置、またはスカッパに関し、より詳細には、航空機コンパートメントの排水ポート用の排水装置に関する。
【背景技術】
【０００２】
米国耐空性基準は、航空輸送の安全性を維持するために精巧に作られている。これらの多くの規則の中で、14C．F．R．§25．1187は、流体をためることができるコンパートメンントの十分な排水および換気を要求している。さらに、放出された流体が追加火災危険を引き起こすことのないように排水設備が配置されなければならない。
【０００３】
航空機上の所与のコンパートメントでは、単純な排水ポートまたは開口が十分な排水システムとして働くことができる。しかし、流体が航空機から放出されると、流体は、周囲空気流の影響を受けて航空機の外板に沿って走ることがあり、その場合、下流側の第2の排水ポートによって吸い込まれることがある。
【０００４】
排出された流体の吸込みを防止しようとする取り組みでは、排水ポートには、航空機の外板上の流体が排水を妨げることなく下流側ポートに入るのをある程度うまく防止するように意図された構造を装着されることがあった。排水ポートの代用として、いくつかのコンパートメントには、航空機表面から空気力学的境界層を越えて突出する専用ドレインマストを装備される。しかし、この種のドレインマストは比較的大きいので、かなりの抗力を作り出す可能性がある。
【０００５】
これらおよびその他の考慮すべき点に関して、本明細書でなされる開示が提示される。
【発明の概要】
【発明が解決しようとする課題】
【０００６】
本開示は、空気力学的表面の開口部の上に取り付けるための排水装置、ならびに空気力学的表面の開口部の上に取り付けるための排水装置を含む排水システムを提供する。
【課題を解決するための手段】
【０００７】
いくつかの態様では、本開示は、空気力学的表面の開口部の上に取り付けるために構成されたベースを含む排水装置を提供することができ、ベースは、空気力学的表面上に取り付けられるように構成された接触面、および入口ポートを有する。排水装置は、ベースに連結される近位端を有するマスト部も含むことができ、マストは、ベースの接触面から離れる向きにマストの遠位端まで延伸する。排水装置は、マスト部の遠位端に連結される上部をさらに含むことができ、上部は、入口ポートと流体流通する出口ポートを有する。上部は、マスト部の周囲の少なくとも一部を越えて延伸する周囲縁部をさらに有することができる。
【０００８】
いくつかの態様では、本開示は、ビークル上の空気力学的表面を含む排水システムを提供することができ、空気力学的表面は、上流側部分および下流側部分を有し、上流側および下流側は、ビークルが移動しているときの空気力学的表面の上の空気流の方向を基準として定義される。開口部が空気力学的表面に画定されてもよく、スカッパ装置が開口部の上の空気力学的表面上に取り付けられてもよい。スカッパ装置は、上流方向に延伸する片持ち支持されたフェンス部を含むことができる。
【０００９】
いくつかの態様では、本開示は、ビークル上の空気力学的表面を含む排水システムを提供することができ、空気力学的表面は、ビークルが移動しているときの空気力学的表面の上の空気流の方向を基準として画定された上流側部分および下流側部分を有する。排水システムは、空気力学的表面に画定された第1の開口部の上に取り付けられた第1のスカッパ装置も含むことができ、第1のスカッパ装置は、空気力学的表面の第1の開口部から下流側に配置された出口ポートを含むキャップを含む。
【００１０】
開示された装置およびシステムの列挙した形態、機能、および利点は、本開示の様々な態様で独立に実現することができる、あるいは、他の態様では組み合わされてもよく、他の態様のさらなる詳細は、下記の説明および図面を参照して理解することができる。
【図面の簡単な説明】
【００１１】
【図１】例示的なジェットエンジンナセルを示す図である。
【図２】エンジンナセルの例示的な前方コンパートメントおよび後方コンパートメントの半概略断面図である。
【図３】1／4球状スカッパを装備した図2の例示的なコンパートメントを示す図である。
【図４】代表的空気力学的表面上に取り付けられた本開示による例示的な排水装置の上部正面斜視図である。
【図５】図4の例示的な排水装置の下部背面斜視図である。
【図６】空気力学的表面上に取り付けられた図4の例示的な排水装置の半概略断面図である。
【図７】図6の例示的な排水装置の側面図である。
【図８】本開示による例示的な排水装置を装備した図2の例示的なコンパートメントを示す図である。
【発明を実施するための形態】
【００１２】
1つまたは複数の有利な特性を有する排水装置の様々な例が以下に説明され、関連図面に例示される。特に断らない限り、開示された排水装置および／または開示された排水装置を含む排水システムは、必須ではないが、本明細書に記載され、例示され、かつ／または組み込まれる構造、構成要素、機能性、および／または変形形態のうちの少なくとも1つを含んでいてもよい。さらに、本教示に関連して本明細書に記載され、例示され、かつ／または組み込まれる構造、構成要素、機能性、および／または変形形態は、必須ではないが、他の類似の排水装置に含められてもよい。
【００１３】
かかる様々な例の以下の記述は、実際には単に例示的なものであり、本開示、本開示の応用例、または用途を決して限定するためのものではない。さらに、これらの例によって提供される利点は、後述のように実際には例示的なものであり、すべての例が、同じ利点または同程度の利点を提供するわけではない。
【００１４】
例えば、開示された排水装置は、高速を実現できる任意のビークルまたは輸送手段に用いる有用性をもつことができる、すなわち、開示された排水装置の空気力学的形態が有利であると分かる。しかし、開示された排水装置、これらの装置の例示および応用例の例示的な説明を提供する目的で、本開示の排水装置は、選択された航空機コンパートメントからの排水を容易にするためにそれらを使用する状況で説明することができる。
【００１５】
同様に、民間航空機は、十分な排水および換気を必要とし得る無数の内部コンパートメントおよび区分された空間を含んでいるが、1つまたは複数の流体を放出することがある航空機システムに隣接するコンパートメント、特に、この航空機システムの下に配置され得るコンパートメントが特に対象となることが理解されるべきである。この理由で、本開示の排水装置は、任意適当な航空機コンパートメントの排水および／または換気に有用となり得るが、本開示は、エンジンナセルの一部でありかつジェットエンジンの下に配置されるコンパートメントに重点を置くことができる。
【００１６】
図1は民間航空機のジェットエンジンナセル10を示し、ジェットエンジンナセル10は、支持パイロン12を介して航空機翼に従属することができ、空気取り入れ口14、ファンカウル16、逆推力装置カウル18、および排気ノズル20を含むことができる。ジェットエンジンナセル10は、見るからに多くの個々のコンパートメントを組み込むことができるが、以下の説明は、ナセル10の下面に、特に、通常はナセル10内のジェットエンジンを取り囲むことになる逆推力装置カウル18内に含めることができるような、ジェットエンジンの下に配置される代表的かつ例示的なナセルコンパートメントに重点を置くことができる。この種のコンパートメントは、ジェットエンジンまたは他の航空機システムから漏れているまたはその他の方法で放出されている流体をためやすいことがある。
【００１７】
図2は、エンジンナセル10の前方コンパートメント22および後方コンパートメント24の簡略化した半概略断面図に対応する。図2の眺めは、エンジンナセル10の縦軸線に平行な面に沿った垂直断面図である。エンジンナセル10のコンパートメント22および24は、ナセル10の下面に沿って、例えば逆推力装置カウル18の下部に沿って配置され、したがって、コンパートメント22および24は、ナセル10の外部表面26に隣接して配置される。
【００１８】
図2は、前方コンパートメント22内の望ましくない流体28の蓄積も示す。前方コンパートメント22には開口部または排水ポート30が装備されているので、望ましくない流体28は、開口部30を通ってナセルの外部空気力学的表面26に流れることができる。
【００１９】
排出流体32が露出した空気力学的表面26上にあると、流体32が取る経路（または流脈線）は、表面26の勾配およびテクスチャ、ならびに航空機が大気を通過することによって作り出される空気流の速度および方向によって決定され得る。しかしながら一般に、こうして放出された流体は、一般にナセル10の表面26に沿って後方へ吹き飛ばされる。不具合なことに、流体が後方に流れると、流体32は、後方コンパートメント24から望ましくない流体を排出するように構成され得る開口部または排水ポート34に遭遇する可能性がある。
【００２０】
不具合なことに、外部移動流体32がかかる開口部に遭遇すると、外部空気流と後方コンパートメント24の内部との間の静的または動的空気圧差により、流体32が開口部34を通って後方コンパートメント24に吸い込まれることになり、後方コンパートメント24内に望ましくない流体36がたまることになり得る。
【００２１】
排出された流体の吸込みを防止するのを助けようとするいくつかの試みは、場合によっては、かかる排水ポートにスカッパ（航空機の外板上の流体を排水ポート開口部から離れる向きにそらすように意図された構造）を装備することを含んでいる。この種のスカッパは、例えば、スカッパの開いた口が卓越気流の下流側、すなわち後方に向いている状態で排水ポートの上に取り付けられた1／4球状シェルを含むことができ、図3の断面図に示されているように、1／4球状スカッパ38は、開口部30を遮蔽するように表面26上に取り付けられ、1／4球状スカッパ40は、開口部34を遮蔽するように表面26上に取り付けられる。不具合なことに、スカッパの1／4球の円弧は、開口部30および34の口の上に延伸することができるが、1／4球状表面の上の空気の高速度流は、スカッパの後方に低圧渦を作り出すのを助けることができ、低圧渦により、スカッパ40が存在するにもかかわらず外部流体32が開口部34を通ってコンパートメント24に吸い込まれることになり得る。
【００２２】
本開示による例示的な空気力学的排水装置が図4および図5に示されている。図4の排水装置は、空気力学的表面26の代表的な部分と共に、この部分上に取り付けられた状態で示されている。図4の排水装置42が空気力学的表面26の上面上に取り付けられるものとして示されているにしても、本開示の排水装置は、図2、図3、および図6〜図8に示されているように、ビークルの下側表面またはビークル上の下側表面を画定する空気力学的表面を含む、任意の向きを有する任意適当な空気力学的表面上に設置され得ることが理解されるべきである。
【００２３】
図4に示されているように、排水装置42は、空気力学的表面26に画定された開口部または排水ポートの上に取り付けるために構成された平坦なベース44を含むことができる。図5に示されているように、ベース44は、ベース44がその上に取り付けられるように意図されている空気力学的表面に実質的に相補的となるように構成され得るベースの下面上の接触面46、例えば平坦な、わずかに凹面の、凸面の、またはその他の方法で空気力学的表面の形状に合致するように意図されている態様で湾曲している接触面46をさらに含むことができる。
【００２４】
ベース44は、表面26に接触するための追加領域を提供する周囲フランジ48をさらに含むことができる。気流が排水装置42の上を流れるときの抗力を最小限に抑えるために、フランジ48は実質的に平坦であり、排水装置42の周囲に少なくとも部分的に円周方向に延伸することができる。本開示の一態様では、ベース44の接触面46は実質的に平坦であってもよく、排水装置は、それに対応して実質的に平坦な空気力学的表面26上に取り付けられるように構成されることになる。
【００２５】
排水装置42のベース44は、任意適当な接着方法によって対応する空気力学的表面26に確実に取り付けられるように構成することができる。ベース44は、数ある中で、コンタクト接着剤、熱可塑性接着剤、一成分接着剤、多成分接着剤、天然接着剤、合成接着剤などの接着剤を用いて表面26に取り付けることができる。あるいは、または加えて、排水装置42は、フランジ48の一部と表面26の一部の両方の上に接着テープを貼ることによって表面26に取り付けられ、それによって排水装置42を固定することができる。あるいは、または加えて、排水装置42は、数ある中で、ねじ、ボルト、リベットなどの任意適当な機械的締め具によって表面26に固定することができる。
【００２６】
図4に示されているように、排水装置42の接触面46は、図6の断面図に示されているように、空気力学的表面26の開口部または排水ポート52に合致するように構成され得る、ベース44の開口または入口ポート50を画定することができる。入口ポート50は任意適当な形状を有することができるが、排水装置42が表面26に取り付けられたときに、入口ポート50は、流体が入口ポート50から排水装置42に入るのを可能にするほど、開口部52に少なくとも部分的に合致しかつ／または重なるものとする。本開示の一態様では、入口ポート50は、図5に示されているように細長い開口部を有し、それによって、排水装置42を開口部52に合致させ、表面26上に排水装置42を取り付けたときにいくらかの自由度を与えることができる。
【００２７】
排水装置42は先端54および後端56を有することができ、排水装置42は、先端54が典型的な空気流が生じる方向に向けられ、後端56が典型的な空気流が生じる方向に向けられた状態で、表面26上に取り付けられるように構成される。すなわち、ほとんどの場合にかつほとんどのビークルについて、ビークルの進行方向を基準として、先端54は前方に向けられてもよく、後端56は後方に向けられてもよい。
【００２８】
排水装置42は、ベース44から外方に延伸するマスト部58を含むことができる。マスト部58は、ベース44に連結され得る近位端60とベース44の接触面46から離れる向きに延伸し得る遠位端62とを有することができる。すなわち、マスト部58は、空気力学的表面26の平面に対して外方に延伸することができる。マスト部58自体は、1つまたは複数の壁部によって形成または画定され得る。マスト部58は、マスト部58の遠位端62が表面26に隣接する空気力学的境界層を越えて延伸しないように構成することができる。開示された排水装置の一態様では、表面26から測定されるマスト部58の高さは少なくとも約2分の1インチ（12．7 mm）である。
【００２９】
排水装置42が高速で移動するビークル上に取り付けられたときに作り出され得る抗力を最小限に抑えるのを助けるために、マスト部58は、排水装置42の周りの空気流の乱れを最小限にするように構成することができる。排水装置42の空気力学的質は、マスト部58が湾曲した前面64と一線に集まる壁部68によって形成された後面66とを含むことで高めることができる。水平面、または表面26に平行な平面で考えると、マスト部58の周囲は涙滴形状に類似することができ、涙滴の先端部は後方に延伸し、後面66に対応する。
【００３０】
マスト部58の遠位端62は、排水装置42の上部70を連結しかつ支持することができる。上部70は、上部70の周囲が排水装置42のマスト部58の周囲よりも大きくなるように構成することができる。本開示の一態様では、上部70は、表面26の平面に実質的に平行な方向、したがってベース44の接触面46の平面に実質的に平行な方向に、マスト部58から外方に片持ち支持され得るフェンス部72を含むことができる。フェンス部72は、マスト部58の遠位端62の少なくともかなりの部分から外方に延伸し、それによって上部70の周囲を画定することができる。
【００３１】
本開示の一態様では、フェンス部72は、マスト部58の遠位端62の周囲の少なくとも50％の部分を取り囲みかつこの部分から延伸する。本開示の別の態様では、フェンス部72は、排水装置42の先端54に沿って配置されたマスト部58の遠位端62の周囲の少なくとも50％の部分から外方に延伸することができる。フェンス部72は、マスト部58の前面64から上流方向に少なくとも約4分の1インチ（6．35 mm）だけ延伸することができる。本開示の別の態様では、フェンス部72は、マスト部58の遠位端62ならびに遠位端62の右側および左側のそれぞれの少なくとも50％の部分を取り囲みかつこれらの部分から延伸する。
【００３２】
図4および図6に示されているように、上部70の表面74は、排水装置42の接触面46の開口部52と流体流通することができる出口ポート76を含むことができる。流体連通とは、開口部52と出口ポート76との間の流体の移動を可能にするように構成された、開口部52と出口ポート76との間の任意のチャネルまたは通路を意味する。開示された排水装置の一態様では、マスト部58は部分的にまたは実質的に中空とすることができ、出口ポート76はマスト部58の内部78への開口部を提供することができ、この開口部も入口ポート50と流通する。
【００３３】
表面74は、少なくとも実質的に平面に対応することができる、または、凹面、凸面、または他の湾曲度合いを組み込むことができる。表面74が少なくとも実質的に平面を画定する場合、平面は、開口部52を含んでいるビークル表面26の平面と平行に向けられてもよい。あるいは、実質的に平坦な表面74が、前方か後方のどちらかにわずかに、典型的にはビークル表面26の平面に対して5度未満だけ角度をつけられてもよい。
【００３４】
開示された排水装置の一態様では、出口ポート76は、排水装置42の先端54よりも後端56に近接して表面74に配置される。したがって、典型的には、排水装置42は、入口ポート50が開口部52の上になるように表面26上に取り付けられたときに出口ポート76が開口部52の下流側に配置されるように構成される。
【００３５】
排出された流体の再吸込みを防止する排水装置42の能力は、図6、図7、および図8に半概略的に示されている。図6は、表面26の下面上に配置された排水装置42を示す。排水装置42は、開口部52の上の入口ポート50のアラインメントを示すために断面図で示されている。図6の排水装置42は、例えば前方コンパートメント22の開口部または排水ポート52に装着され得る。望ましくない流体が前方コンパートメント22内にたまった場合、流体は、図6の矢印で画定された経路をたどって開口部52からマスト部58の内部空間78に入り、次いで表面74の出口ポート76から出ることができる。流体が出口ポート76から出ると、流体は卓越気流によって下流側に運ばれることになる。
【００３６】
対照的に、図7は、後方コンパートメント24の開口部52の上に配置された排水装置42の側面図を示す。上流側コンパートメントから排出された流体は、この流体が排水装置42に達するまで表面26に沿って流れることができる。マスト部58の空気力学的形状により、排出された流体は、マスト部58の周囲の、マスト部58の後面66から離れる卓越気流によって運ばれることになる。フェンス部72、特に、フェンス部72がマスト部58の遠位端62を取り囲みかつ遠位端62から延伸するところ、ならびに排水装置42の遠位端62の右側および左側のそれぞれの少なくとも一部が存在すると、かかる流体が排水装置42の外面74に達するのを妨げるフェンス部72の能力を高めることができ、したがって、排出された流体が出口ポート76に達するのを妨げることができる。したがって、排出された流体の再吸込みが防止される。
【００３７】
図8に示されているように、本開示の小規模で低抗力の排水装置は、ビークルの空気力学的表面に、例えば局所流線形に沿って、排水ポートまたは開口部と合致して取り付けることができる。 排水装置は、その場合、排出されているコンパートメントの圧力を認め得るほどに変えることなく、空気力学的表面に沿って走っていることができる流体の吸込みを防止することができる。空気力学的マスト部58は、局所空気力学的表面に平行なフェンス部72を上昇させ、表面上の流体が出口ポート76を登り出口ポート76に入るのを妨げる。
【００３８】
例および代替手段
以下の例は、例示的な排水装置の選択された態様を説明する。これらの例は例示するためのものであり、本開示の全範囲を限定するものと解釈されるべきでない。それぞれの例は、1つまたは複数の明確な開示、ならびに／あるいは文脈情報もしくは関連情報、機能、および／または構造を含むことができる。
【００３９】
実施例1
このセクションは、一連のパラグラフとして制限なく提示される、本開示のスカッパまたは排水装置の追加の態様および形態を説明するが、パラグラフの一部または全部が、明瞭化および効率化のために英数字の順に表されることがある。これらのパラグラフはそれぞれ、1つまたは複数の他のパラグラフ、ならびに／あるいは本願の他の箇所からの開示と任意適当な態様で組み合わせることができる。下記のパラグラフのうちのいくつかは、他のパラグラフを明白に参照し、さらには制限して、適切な組合せのうちのいくつかの例を制限なく提供する。「実質的に（substantially）」という用語を含むパラグラフはそれぞれ、用語「実質的に」が削除されるのを除いて同じ形で提供されることもある。
【００４０】
A．排水装置であって、
空気力学的表面の開口部の上に取り付けるために構成されたベースであって、空気力学的表面上に取り付けるために構成された接触面、および入口ポートを有する、ベースと、
近位端および遠位端を有するマスト部であって、近位端がベースに連結され、ベースの接触面から離れる向きに延伸する、マスト部と、
マスト部の遠位端に連結される上部であって、入口ポートと流体流通する出口ポートおよびマスト部の周囲の少なくとも一部を越えて延伸する周囲縁部を有する、上部と、
を備える排水装置。
【００４１】
A1．上部が先端および後端を有し、先端が、マスト部から外に片持ち支持されたフェンス部を含む、パラグラフAに記載の排水装置。
【００４２】
A2．フェンス部が、マスト部の周囲の少なくとも50％の部分を取り囲む、パラグラフA1に記載の排水装置。
【００４３】
A3．出口ポートが先端よりも後端に近接している、パラグラフA1に記載の排水装置。
【００４４】
A4．出口ポートが、空気力学的表面の開口部を含む平面に平行な平面内にある、パラグラフAに記載の排水装置。
【００４５】
A5．マスト部が、一線に集まる壁部によって形成された後面を有する、パラグラフAに記載の排水装置。
【００４６】
A6．マスト部および上部のそれぞれが前曲率を有し、マスト部の前曲率の半径が、上部の前曲率の半径よりも小さい、パラグラフAに記載の排水装置。
【００４７】
A7．ベースは、出口ポートが開口部の下流側にあるように空気力学的表面上に取り付けるために構成される、パラグラフAに記載の排水装置。
【００４８】
A8．空気力学的表面がビークル上にある、パラグラフAに記載の排水装置。
【００４９】
B．排水システムであって、
ビークル上の空気力学的表面であって、ビークルが移動しているときの表面の上の空気流を基準とする上流側部分および下流側部分と空気力学的表面に画定された開口部とを有する、空気力学的表面と、
開口部の上の空気力学的表面上に取り付けられたスカッパ装置であって、空気力学的表面を基準として上流方向に延伸する片持ち支持されたフェンス部を有する、スカッパ装置と、
を備える、排水システム。
【００５０】
B1．スカッパ装置が、遠位端を有しかつ空気力学的表面から離れる向きに延伸し、フェンス部が、マスト部の遠位端の周囲の少なくとも50％の部分から延伸する、パラグラフBに記載の排水システム。
【００５１】
B2．スカッパ装置が、空気力学的表面から遠位に上部を有し、上部が、開口部の下流側に出口ポートを有する、パラグラフBに記載の排水システム。
【００５２】
B3．出口ポートおよび開口部が実質的に平行な平面にある、パラグラフB2に記載の排水システム。
【００５３】
B4．マスト部の高さが、少なくとも約1／2インチである、パラグラフB1に記載の排水システム。
【００５４】
B5．フェンス部が、上流方向に少なくとも約1／4インチだけ延伸する、パラグラフBに記載の排水システム。
【００５５】
C．排水システムであって、
ビークル上の空気力学的表面であって、ビークルが移動しているときの表面の上の空気流を基準とする上流側部分および下流側部分と空気力学的表面に画定された第1の開口部とを有する、空気力学的表面と、
開口部の上の空気力学的表面上に取り付けられた第1のスカッパ装置であって、第1の開口部の下流側に出口ポートを有するキャップを含む、第1のスカッパ装置と、
を備える、排水システム。
【００５６】
C1．出口ポートおよび開口部が平行な平面に実質的に含まれている、パラグラフCに記載の排水システム。
【００５７】
C2．空気力学的表面に画定された第2の開口部をさらに備え、第2の開口部が第1の開口部の上流側にあり、
第1のスカッパ装置が、第2の開口部に向かって上流側に延伸する片持ち支持されたフェンス部を有する上部を含む、パラグラフCに記載の排水システム。
【００５８】
C3．第2の開口部の上に取り付けられた第2のスカッパ装置
をさらに備え、上流側に延伸する片持ち支持されたフェンス部を有する上部を含む、
パラグラフC2に記載の排水システム。
【００５９】
C4．スカッパ装置がそれぞれ、スカッパ装置のそれぞれの開口部の下流側に、上部に画定された出口ポートを有する、パラグラフC3に記載の排水システム。
【００６０】
利点、形態、便益
本明細書に記載されているスカッパおよび排水装置の様々な例は、以前のスカッパに勝るいくつかの利点を提供する。より具体的には、ここに記載されている排水装置は、所望の空気力学的表面上への迅速で容易な取付けを可能にし、低コストであり、排出された流体の再吸込みを実質的に防止する。さらに、排水装置の空気力学的輪郭部は、突出する排水装置によって引き起こされる追加の抗力に起因する燃料節約に対する影響を最小限に抑える。
【００６１】
結論
上述した本開示は、独立した有用性をもつ多くの別個の開示を包含することができる。これらの開示のそれぞれが、その開示の好ましい形で開示されているが、本明細書で開示され例示されるその開示の具体的な例は、多くの変形形態が可能であるので、限定的な意味に考えるべきではない。本開示の主題は、本明細書で開示される様々な要素、形態、機能、および／または特性のすべての新規かつ非自明のコンビネーションおよびサブコンビネーションを含む。下記の特許請求の範囲は、新規で非自明と見なされるいくつかのコンビネーションおよびサブコンビネーションを特に指摘するものである。形態、機能、要素、および／または特性の他のコンビネーションおよびサブコンビネーションで具現化される発明は、本出願または関連出願の優先権を主張する出願で請求され得る。かかる特許請求の範囲は、異なる開示を対象としても同じ開示を対象としても、それにまた原クレームに対する範囲がより広くても、より狭くても、同等でも、異なっていても、本開示の主題に含まれると見なされる。
【符号の説明】
【００６２】
10  ジェットエンジンナセル
12  支持パイロン
14  空気取り入れ口
16  ファンカウル
18  逆推力装置カウル
20  排気ノズル
22  前方コンパートメント
24  後方コンパートメント
26  空気力学的表面
28  流体
30  開口部、排水ポート
32  外部流体、排出流体
34  開口部、排水ポート
36  流体
38  1／4球状スカッパ
40  1／4球状スカッパ
42  排水装置
44  ベース
46  接触面
48  フランンジ、周囲フランジ、周囲縁部
50  開口、入力ポート
52  開口部、排水ポート
54  先端
56  後端
58  マスト部
60  近位端
62  遠位端
64  前面
66  後面
68  一線に集まる壁部
70  上部
72  フェンス部
74  表面
76  出口ポート
78  内部、内部空間
【図１】
2018165147.tif 000003
【図２】
2018165147.tif 000004
【図３】
2018165147.tif 000005
【図４】
2018165147.tif 000006
【図５】
2018165147.tif 000007
【図６】
2018165147.tif 000008
【図７】
2018165147.tif 000009
【図８】
2018165147.tif 000010
【外国語明細書】
2018165147000001.pdf